(57)【要約】【課題】上球受皿および下球受皿のそれぞれから遊技球を簡単に抜取ること。【解決手段】上皿球抜きボタン２２が操作されたときには上球受皿２１の球抜き通路２４が電気的に開放され、上球受皿２１内の遊技球が球抜き通路２４から抜取られる。下皿球抜きボタンが操作されたときには下球受皿の球排出口が電気的に開放され、下球受皿内の遊技球が球排出口から抜取られる。この構成の場合、上球受皿２１については電源停止時に上皿球抜きボタン２２が操作されなくても球抜き通路２４が強制的に開放されるが、下球受皿については電源停止時であっても球排出口が強制的に開放されない。【選択図】図５
2008006309.tif 000002
【特許請求の範囲】
【請求項１】
賞品球排出装置から賞品球排出口を経由して排出される遊技球を貯留すると共に貯留した遊技球が球発射位置へ供給されるものであって、遊技球を排出する球排出口を有する上球受皿と、
前記上球受皿の前記球排出口を開閉するための上球受皿用の球抜き装置と、
前記賞品球排出口においてオーバーフローした遊技球を貯留すると共に前記上球受皿の前記球排出口から排出された遊技球を貯留するものであって、遊技球を排出する球排出口を有する下球受皿と、
前記下球受皿の前記球排出口を開閉するための下球受皿用の球抜き装置を備えたパチンコ遊技機において、
前記上球受皿用の球抜き装置および前記下球受皿用の球抜き装置は共に、
前記球排出口を開閉する開閉板と、
前記開閉板を開放位置と閉鎖位置との間で移動させる開閉装置と、
前記球排出口の近傍位置において遊技球の有無を検出する遊技球検出手段と、
ガラス扉を有する本体前面に設けた球抜き開始手段と、
前記球抜き開始手段の操作に応じて前記開閉装置により前記開閉板を前記開放位置に移動させ、また前記遊技球検出手段による遊技球無しとの検出結果に応じて前記開閉装置により前記開閉板を前記閉鎖位置に移動させる開閉制御手段を備えており、
前記上球受皿用の球抜き装置および前記下球受皿用の球抜き装置のうち前記上球受皿用の球抜き装置のみが、電源停止時に自身の前記開閉板を強制的に前記開放位置に移動させる非常時開放手段を備えていることを特徴とするパチンコ遊技機。
【発明の詳細な説明】
【技術分野】
【０００１】
本発明は、パチンコ遊技機の球受皿の球抜き装置に関する。
【背景技術】
【０００２】
パチンコ遊技機には、球受皿として、本体裏面に設けた賞品球供給装置から供給された賞品球等を貯留すると共に遊技球を整列路を通して整列させ、整列路の先端に配置した球供給装置により球発射位置に供給する上球受皿と、上球受皿からオーバーフローした遊技球や上球受皿から球抜きされた遊技球等を収容する下球受皿とが設けている。
【０００３】
従来、上球受皿の球抜き装置としては、上球受皿の上面に上皿球抜きボタンを設けており、上皿球抜きボタンを手動で押し続けることにより、整列路の先端に設けた開閉板を移動させて球排出口を開放し、上球受皿に貯留された遊技球を球抜きして下球受皿に送るようにしている。また、下球受皿の球抜き装置としては、下球受皿の前面に設けた下皿球抜きレバーを手動操作により横方向に移動させ、下球受皿に貯留された遊技球を球排出口を通して球抜きしている。
【発明の開示】
【発明が解決しようとする課題】
【０００４】
しかし、上記球抜き操作においては、上皿球抜きボタンを押し続け、また下球抜きレバーを操作し続ける必要があるため、遊技者にとって非常に煩雑であると共に、操作に要する手が球抜き時間中拘束され、他の動作を行うことができないという問題がある。例えば、いわゆる大当りと言われる特別入賞状態の発生により短時間に大量の賞品球が供給されて、上球受皿及び下球受皿が遊技球で満杯状態になり、これら遊技球を上下球受皿から迅速に抜き取る必要があるときには、上皿球抜きレバー及び下皿球抜きレバーを同時に操作する必要がある。しかし、上皿球抜きレバー及び下皿球抜きレバーは上下離れた位置にあるため、両球抜きレバーを片手で同時に操作することはできず、やむなく遊技を中止して、両手で操作しなければならず非常に煩雑であった。
【０００５】
これに対し、上球受皿の球抜き装置としては、例えば実開昭６３ー１８６４８３号公報に示すように、上球受皿に設けた操作部を回動させて球抜きアームを回動させることにより、球抜取り口を閉鎖しているシャッタ部材を摺動させて球抜取り口を開放し、球抜取口の開放位置で球抜きアームをロック部材によりロックして球抜取り口の開放状態を継続させるようにしたものが知られている。しかし、この上球受皿の球抜き装置の場合、球抜き終了後も、球抜取り口が開放されたままになっているため、つぎにパチンコ遊技機を使用するときに、上球受皿に補給した遊技球が球抜きされてしまうという問題がある。
【０００６】
また、下球受皿の球抜き装置としては、例えば特開平６ー３１９８６０号公報に示すように、下球受皿の球抜き孔の傍に打球の直径とほぼ等しい円孔を穿設し、またシャッター板には球抜き孔をほぼ開放する第１位置で円孔に合致し、かつ少なくとも打球の半径以上が落入する深さの凹窪部と、球抜き孔を全面開放する第２位置で円孔に合致する貫通孔を設けたものが知られている。これにより、凹窪部に落入する打球を円孔の周縁に当接させることによりシャッター板を第１位置に停止保持させて、球抜きを継続させることができ、また、シャッター板を第２位置に摺動させることにより凹窪部の打球を貫通孔から落下させることにより、シャッター板の停止を解除させることができる。
【０００７】
しかし、この下球受皿の球抜き装置の場合、球抜き時に、シャッター板を第１位置に停止させるのに注意が必要であり、１タッチで簡単に第１位置に停止させるという訳にはいかず、操作が非常に煩雑である。また、球抜き終了後も、球抜取り口が開放されたままになっているため、シャッター板を第２位置にまで移動させる必要があり、球抜き操作に注意を払わなければならない。
【０００８】
本発明は、上記した問題を解決しようとするもので、球受皿からの球抜きを簡単に行うことができ、球抜き後は自動的に遊技可能状態に復帰できるパチンコ遊技機を提供することを目的とする。
【課題を解決するための手段】
【０００９】
本発明のパチンコ遊技機は、賞品球排出装置から賞品球排出口を経由して排出される遊技球を貯留すると共に貯留した遊技球が球発射位置へ供給されるものであって遊技球を排出する球排出口を有する上球受皿と、前記上球受皿の前記球排出口を開閉するための上球受皿用の球抜き装置と、前記賞品球排出口においてオーバーフローした遊技球を貯留すると共に前記上球受皿の前記球排出口から排出された遊技球を貯留するものであって遊技球を排出する球排出口を有する下球受皿と、前記下球受皿の前記球排出口を開閉するための下球受皿用の球抜き装置を備えたものにおいて、前記上球受皿用の球抜き装置および前記下球受皿用の球抜き装置は共に、前記球排出口を開閉する開閉板と、前記開閉板を開放位置と閉鎖位置との間で移動させる開閉装置と、前記球排出口の近傍位置において遊技球の有無を検出する遊技球検出手段と、ガラス扉を有する本体前面に設けた球抜き開始手段と、前記球抜き開始手段の操作に応じて前記開閉装置により前記開閉板を前記開放位置に移動させまた前記遊技球検出手段による遊技球無しとの検出結果に応じて前記開閉装置により前記開閉板を前記閉鎖位置に移動させる開閉制御手段を備えており、前記上球受皿用の球抜き装置および前記下球受皿用の球抜き装置のうち前記上球受皿用の球抜き装置のみが電源停止時に自身の前記開閉板を強制的に前記開放位置に移動させる非常時開放手段を備えているところに特徴を有する。
【発明の効果】
【００１０】
上球受皿用の球抜き装置および下球受皿用の球抜き装置のそれぞれについて、本体前面に設けた球抜き開始手段を操作することにより、開閉制御手段の制御下にて、開閉装置が開閉板を開放位置に移動させ、球排出口が継続して開放され、球抜きが開始される。また、遊技球が無いときは遊技球検出手段によりその旨が検出され、これに応じて、開閉制御手段の制御により、開閉装置が開閉板を閉鎖位置に移動させ、自動的に球排出口が閉鎖され、遊技球を貯留できる遊技継続可能状態に復帰する。このため、球抜きを簡単に行うことができるので、球抜きの負担が排除される。しかも、遊技球が無くなると自動的に球排出口が閉鎖されるので、遊技終了後に再び遊技球を供給して遊技を開始するときに供給された遊技球が球抜きされるといった不都合を確実に防止できる。しかも、球抜き開始手段を例えば１タッチ式とすることにより、従来の球抜きレバーのように球受皿からの突出を避けることができ、デザインを改良することができる。
【００１１】
上球受皿用の球抜き装置のみについて、停電等の非常の電源停止時に上球受皿に貯留された遊技球を強制的に球抜きすることができる。このため、停電等の非常の電源停止時に上球受皿に貯留された遊技球を強制的に球抜きすることができ、非常時における球抜きの手間を省くことができ、便利である。
【発明を実施するための最良の形態】
【００１２】
以下、本発明の一実施の形態を図面を用いて説明すると、図１及び図２は、本発明に係るパチンコ遊技機の本体１０を斜視図及び背面図により示したものであり、図３は、本体１０の一部を、前面のガラス扉１１及び上皿基板２０を開放した状態で斜視図により示したものである。本体１０のガラス扉１１及び上皿基板２０を開放した内側には、遊技盤３０が設けられている。遊技盤３０は、木、樹脂又は、金属製の板で形成されており、周囲を除く部分に略円弧形の通過レール３１ａ及び仕切りレール３１ｂによって囲まれた遊技領域３２を設けている。遊技盤３０の左下端部（以下、左右方向については、本体１０前面側から視た方向を表すものとする）には、図３に示すように、賞品球を後述する上球受皿２１に排出する賞品球排出口３３が設けられている。また、遊技盤３０の下側には、金属製、樹脂製、木製等の基盤４０が設けられている。
【００１３】
基盤４０には、図３に示すように、通過レール３１ａの右下端につづいてファール球や、上球受皿２１から球抜きされた遊技球の通路である遊技球排出筒４１が設けられている。遊技球排出筒４１の前面下端には開口４１ａが設けられている。通過レール３１ａの遊技球排出筒４１を挟んだ延長位置には、発射レール４２が設けられている。発射レール４２は、その下端部の遊技球発射位置に遊技球を保持するために略直角に曲げられた遊技球保持部４２ａを設けている。遊技球保持部４２ａは、後述する遊技球発射装置７９の打球杆４３の先端が遊技球に当たるように四角形の孔が設けられている。
【００１４】
上皿基板２０は、図１に示すように、基板２０ａ前面に上球受皿２１を設けており、また図３に示すように、右端側に遊技球供給機構６０を設けている。上球受皿２１は、図４に示すように、基板２０ａ前面を除く周囲に囲い２１ａが設けられ、囲い２１ａの内側の左側半分に広い領域の球受入れ部２１ｂを設けている。球受入れ部２１ｂの右側は、徐々に幅が絞られて右方に延びた整列路２１ｃにつなげられている。整列路２１ｃは、遊技球供給機構６０に向けて下方にわずかに傾斜している。上球受皿２１が取り付けられた基板２０ａには、左側位置に賞品球供給口２１ｄが開口しており、賞品球供給口２１ｄには後方に向けて突出した賞品球供給筒２１ｅが取り付けられている。賞品球供給筒２１ｅは、遊技盤３０の下端に設けられた賞品球排出口３３に連通して、後述する賞品球タンク７３から供給された賞品球を、賞品球排出口３３を介して上球受皿２１に導くようになっている。
【００１５】
囲い２１ａの右端側の平坦領域２１ａ1 には、図４に示すように、上皿球抜きボタン２２が設けられている。上皿球抜きボタン２２は、図６に示すように、平坦領域２１ａ1 にコイルバネにより支持されて、下端に押圧片２２ａが取り付けられており、その下側に設けられたマイクロスイッチ２２ｂと共に、球抜き開始手段を構成している。すなわち、上皿球抜きボタン２２を１タッチで押すことにより、押圧片２２ａが移動して、マイクロスイッチ２２ｂをオンさせるようになっている。マイクロスイッチ２２ｂのオンに応じて後述する制御回路８０の制御により、後述する上球受皿２１の電磁ソレノイド２５が通電または非通電状態にされる。
【００１６】
整列路２１ｃの右端には、図５に示すように、段差が設けられており、その下側には開閉板２３が設けられている。開閉板２３の下方には、球排出口である球抜き通路２４の開口部２４ａが設けられている。球抜き通路２４は、左下方に向けてわずか傾斜して延出され、左端の開口部２４ｂが、上記遊技球排出筒４１の開口４１ａに連通するようになっている。そして、開閉板２３は、その左端が球抜き通路２４の上部に固定された、後述する駆動回路８１ａと共に開閉装置を構成する電磁ソレノイド２５の右方に延びたロッド２５ａに取り付けられており、通常は電磁ソレノイド２５の通電状態におけるロッド２５ａの右方向への突出により、球抜き通路２４を閉鎖している。球抜き通路２４の開放は、電磁ソレノイド２５を非通電状態にすることによりロッド２５ａを左方向へ吸引させて、開閉板２３を左方向に移動させることにより行うことができる。整列路２１ｃの先端には、その裏面に接触して、整列路２１ｃの先端近傍の遊技球を検出する遊技球検出手段である上皿球検出センサ２６が取り付けられている。上皿球検出センサ２６としては、近接センサやホトセンサ等が使用される。
【００１７】
開閉板２３の右側（図５においては左側）には、遊技球供給機構６０が設けられている。遊技球供給機構６０は、図５に示すように、球抜き通路２４の隣接位置にて上皿基板２０に固定された支持軸６１ａに揺動自在に支持された球受け部材６１を設け、球受け部材６１のほぼ直上部に上皿基板２０に固定された支持軸６２ａに揺動自在に支持された球止め部材６２とを備えている。この遊技球供給機構６０の作動により、遊技球Ｂが１個づつ球発射位置に供給されるようになっている。ただし、遊技球供給機構については、上記形式のものに限るものではない。
【００１８】
上皿基板２０の下側には、図１に示すように、下皿基板５０が取り付けられている。下皿基板５０は、中央に下球受皿５１を設けており、右端位置に発射ハンドル５２ａを、左端位置に灰皿５２ｂを設けている。下球受皿５１は、図７に示すように、底面部５１ａを設けると共に、基板５０ａ前面を除く底面板５１ａの周囲に囲い５１ｂを設けている。囲い５１ｂ内の右側の平坦部分には、球抜き開始手段を構成する下皿球抜きボタン５６が設けられている。下皿球抜きボタン５６も、上皿球抜きボタン２２と同様に、押圧片（図示しない）の下側にマイクロスイッチ（図示しない）を設けており、押圧片を１タッチで押すことにより、マイクロスイッチをオンさせるようになっている。マイクロスイッチのオンに応じて後述する制御回路８０の制御により、後述する下球受皿５１の電磁ソレノイド５５が通電または非通電状態にされる。
【００１９】
下球受皿５１の背面側の基板５０ａには、遊技球流入口５３ａが設けられており、遊技球流入口５３ａから後方に向けて突出した遊技球流入筒５３が取り付けられている。下球受皿５１の底面部５１ａの略中央には球排出口５１ｃが設けられている。底面部５１ａには、下球受皿５１の前側から後方に向けて水平に形成された図示しない隙間が設けられており、隙間内には球排出口５１ｃを開閉する開閉部材５４が設けられている。
【００２０】
開閉部材５４は、球排出口５１ｃを被覆する開閉板５４ａと、開閉板５４ａから後方に延びた幅の狭い支持部５４ｂとを有し、球排出口５１ｃの後方にて支持部５４ｂが固定ピン５４ｃにより底面部５１ａに回動可能に取り付けられている。また、底面部５１ａの左後端位置には、後述する駆動回路８１ｂと共に開閉装置を構成する電磁ソレノイド５５が設けられており、電磁ソレノイド５５のロッド５５ａが、支持部５４ｂの固定ピン５４ｃに対して後方側に取り付けられている。電磁ソレノイド５５の通電状態においては、ロッド５５ａは、支持部５４ｂになんら作用せず、球排出口５１ｃは開閉板５４ａにより閉鎖されている。電磁ソレノイド５５を非通電状態にすることにより、ロッド５５ａが右方向に移動して支持部５４ｂを押し、開閉板５４ａが固定ピン５４ｃを中心として回動することにより球排出口５１ｃを開放させることができる。底面部５１ａの球排出口５１ｃの右近傍位置には、遊技球の有無を検出する下皿球検出センサ５７が取り付けられている。下皿球検出センサ５７としては、近接センサやホトセンサ等が使用される。
【００２１】
遊技盤３０の裏側中央位置には、図２に示すように、樹脂製のセンターカバー７１が設けられており、その左端に各種信号処理を行うメイン基板７２が取り付けられている。センターカバー７１の上部には、賞品球タンク７３が設けられている。賞品球タンク７３の左端下側には、右端下方にわずかに傾斜したタンクレール７４が接続されている。タンクレール７４の右端は、センターカバー７１の右側を下方に延びる賞品球通路７５ａ、７５ｂに連結されている。賞品球通路７５ａ、７５ｂの間には、賞品球ケース（賞品球排出装置）７６が介装されており、賞品球ケース７６は、スプロケット（図示しない）の回動により賞品球を１個づつ下流側の賞品球通路７５ｂに排出するようになっている。賞品球通路７５ｂの下端は、賞品球排出口３３を介して上球受皿２１につながっている。
【００２２】
賞品球通路７５ｂの下端において下賞品球通路７５ｃが分岐されて、中央下方に延出されている。下賞品球通路７５ｃは、下端が下球受皿５１の遊技球流入筒５３に連結されている。そして、賞品球排出口３３において遊技球がオーバーフローすると、遊技球は下賞品球通路７５ｃに流入して、遊技球流入筒５３を通して下球受皿５１に排出される。また、下賞品球通路７５ｃには、その途中位置にて、上記遊技球排出筒４１の下端が接続されている。これにより、遊技球排出筒４１に流入したファール球及び上球受皿２１から球抜きされた遊技球は、下賞品球通路７５ｃを通して下球受皿５１に排出される。
【００２３】
センターカバー７１の下側には、上記入賞口等に入賞した遊技球が遊技盤３０の裏面の開口から落下した遊技球を集める入賞球集合樋７７が、左下方向に傾斜して設けられている。入賞球集合樋７７の右端位置には、賞品球の排出、遊技球の発射等の制御を行う賞球基板７８が取り付けられており、賞球基板７８の下側には、発射モータを含む遊技球発射装置７９が設けられている。
【００２４】
上記メイン基板７２には、上球受皿２１及び下球受皿５１からの球抜きを電気的に制御する開閉制御手段、閉鎖禁止制御手段である制御回路８０が設けられている。制御回路８０は、ＣＰＵ，ＲＯＭ，ＲＡＭ，タイマ等を備えたマイクロコンピュータにより構成されており、図９のフローチャートに示す「ソレノイド制御プログラムＩ」を実行し続けると共に、図１０のフローチャートに示す「球検出制御プログラムＩ」の割り込み実行を行う。図８に示すように、制御回路８０の入力側には、上記上皿球抜きボタン２２、下皿球抜きボタン５６、上皿球検出センサ２６及び下皿球検出センサ５７が接続されると共に、電源スイッチ８２が接続されている。制御回路８０の出力側には、上記電磁ソレノイド２５、５５が駆動回路８１ａ，８１ｂを介して接続されている。制御回路８０は、電源スイッチ８２の投入により電源から通電が行われ、作動を開始する。
【００２５】
つぎに、上記のように構成した第１の実施形態の動作について説明する。ここで、上球受皿２１と下球受皿５１は、球抜きが同様の制御により行われるため、まず上球受皿２１から下球受皿５１に球抜きする場合について説明する。電源が投入されることにより、制御回路８０は、「ソレノイド制御プログラムＩ」の実行を、図９に示すステップ９０にて開始し、ステップ９１にて各種変数の初期化を行う。同時に、ソレノイドフラグＳＮＦが「０」にされ、電磁ソレノイド２５の通電が開始される（ステップ９２、９３）。ここで、ソレノイドフラグＳＮＦは、「０」のとき電磁ソレノイド２５が通電状態であることを示し、「１」のとき電磁ソレノイド２５が非通電状態であることを示すものとする。すなわち、制御開始時点においては、電磁ソレノイド２５が通電され、図５に示すように、開閉板２３が開口部２４ａを閉鎖している。
【００２６】
その後、上球受皿２１に多数の遊技球が貯留された状態で、上皿球抜きボタン２２を押すと、近接スイッチ２２ｂがオンし、オン信号が制御回路８０に出力される。これに応じて制御回路８０は、ステップ９４にて「ＹＥＳ」との判定の基にプログラムをステップ９５に移す。以下、ソレノイドフラグＳＮＦが「１」にされ、ソレノイド通電停止信号が出力され、電磁ソレノイド２５がオフにされて、開閉板２３の移動により開口部２４ａが開放され、さらに後述する遊技球検出フラグＹＫＦが読み込まれる（ステップ９５〜９７）。すなわち、上球受皿２１からの球抜きを、上皿球抜きボタン２２の１タッチ操作により簡単に行うことができるので、球抜きレバーの連続操作を行う従来の球抜き操作に比べて球抜き作業を大幅に簡略にすることができる。
【００２７】
一方、制御回路８０は、「ソレノイド制御プログラムＩ」の実行中に、「球検出制御プログラムＩ」の割り込み実行を、図１０に示すステップ１００にて開始し、ステップ１０１にて遊技球検出フラグＹＫＦを「０」にする。ここで、遊技球検出フラグＹＫＦは、「０」のとき上皿球検出センサ２６により遊技球が検出されていない状態であることを示し、「１」のとき遊技球が検出されている状態であることを示すものとする。現在、上球受皿２１の開口部２４ａ近傍には遊技球があり、上皿球検出センサ２６により検出されているので、遊技球検出フラグＹＫＦは「１」にされる（ステップ１０２、１０３）。上皿球検出センサ２６による遊技球の検出状態が継続していれば、遊技球検出フラグＹＫＦは「１」のままである。
【００２８】
たまたま、上球受皿２１の開口部２４ａ近傍に遊技球がなくなり、上皿球検出センサ２６により検出されないような場合（ステップ１０４）、例えば上球受皿の一部で球詰まりが生じたような場合、所定時間である猶予期間にはいる。すなわち、タイマによる所定時間Ｔ0 （例えば５秒）の計時が行われ、その間に球詰まりが解消され、開口部２４ａ近傍に遊技球が流れて上皿球検出センサ２６により検出されると（ステップ１０５〜ステップ１０７）、遊技球検出フラグＹＫＦは「１」のままでプログラムはステップ１０４に戻され、ステップ１０４以下の処理が同様に行われる。すなわち、遊技球の流れの中断が一時的で短時間に復帰するような場合には、遊技球検出状態として扱うものである。また、タイマによる所定時間Ｔ0 の計時が終了すると、その場合は、球詰まりではなく、上球受皿２１に遊技球が無いものと判断され、遊技球検出フラグＹＫＦが「０」にされ（ステップ１０６、１０８）、プログラムはステップ１０２に戻され、ステップ１０２以下の処理が同様に行われる。
【００２９】
球抜きが行われている場合に、遊技球が整列路２１ｃをスムーズに移動していると、上皿球検出センサ２６により遊技球が検出されており、遊技球検出フラグＹＫＦは「１」になっている。この状態で、遊技球の有無及びさらに上皿球抜きボタン２２が押されたか否かが判定される（ステップ９８、９９）。そして、遊技球検出フラグＹＫＦが「０」になると、すなわち上球受皿２１に遊技球が貯留されなくなると、ステップ９８にて「ＹＥＳ」との判定の基にプログラムは９２に戻され、電磁ソレノイド２５の通電が開始され、ソレノイドフラグＳＮＦが「０」にされ、さらにステップ９４以下の処理が行われる。すなわち、開閉板２３により、開口部２４ａが閉鎖され、パチンコ遊技機が球抜き状態から通常の遊技可能状態に復帰する。
【００３０】
一方、上皿球検出センサ２６により遊技球が検出されている状態で、球抜きを中止したい場合には、上皿球抜きボタン２２を押すことにより、ステップ９９にて「ＹＥＳ」との判定の基にプログラムは、同様にステップ９２に戻され、電磁ソレノイド２５の通電が開始され、ソレノイドフラグＳＮＦが「０」にされ、パチンコ遊技機を遊技可能状態に復帰させる。
【００３１】
上記動作を、図１１のタイムチャートにより説明すると、電源投入後、時刻ｔ1 に上皿球抜きボタン２２が押されると、電磁ソレノイド２５がオフになり、開口部２４ａが開放される。さらに、時刻ｔ2 に一時的に球詰まりが起こり、期間Ｔ1 （＜Ｔ0 ）の間、上皿球検出センサ２６により遊技球が検出されなくても、電磁ソレノイド２５が直ちにオンに戻ることはない。そのため、上球受皿２１でわずかの球詰まりが生じても、一々開口部２４ａが閉鎖され、再び上皿球抜きボタン２２の操作を行わなければならない煩雑さを避けることができる。
【００３２】
また、時刻ｔ3 において、球抜き中に上皿球抜きボタン２２をオンすることにより、上皿球検出センサ２６により遊技球が検出されている状態であっても、電磁ソレノイド２５をオフにすることができる。すなわち、上皿球抜きボタン２２の操作により、球抜きを開始した後、途中で球抜きを停止したいときには、再び上皿球抜きボタン２２を１タッチ操作することにより、簡単に球抜きを停止することができるので便利である。
【００３３】
その後、時刻ｔ4 に上皿球抜きボタン２２が押され、電磁ソレノイド２５がオフにされ、さらに時刻ｔ5 にて、上皿球検出センサ２６により遊技球が検出されない状態になる。遊技球が検出されない期間が所定時間Ｔ0 以上となった場合には、上球受皿２１に遊技球が無いと判断され、電磁ソレノイド２５がオンにされ、自動的に開口部２４ａが閉鎖される。そのため、遊技が終了して球抜きが行われた後、上球受皿２１に遊技球を供給して新たに遊技を開始しようとするときに、供給された遊技球が球抜きされるといった不都合を確実に防止できる。
【００３４】
また、停電等の非常時に、電源スイッチ８２のオフにされるが、これに応じて電磁ソレノイド２５が自動的にオフにされ、開口部２４ａが開放されるため、上球受皿２１に貯留された遊技球を自動的に下球受皿５１に移動させておくことができ、非常時における遊技球の回収を自動的に行なうことができ便利である。
【００３５】
以上に説明した上球受皿２１の球抜き動作については、下球受皿５１についても同様に適用される。すなわち、図７に示すように、下皿球抜きボタン５６の１タッチ操作により、電磁ソレノイド５５により開閉板５４ａが駆動され、球排出口５１ｃが開放され、球抜きが行われる。また、下球受皿５１内の遊技球の有無を下皿球検出センサ５７により検出し、所定時間Ｔ0 の間に遊技球が検出されないときには、遊技球が無いものとして、球排出口５１ｃが閉鎖される。これにより、上球受皿２１の球抜き制御により得られたと同様の効果が得られる。また、パチンコ遊技機が、いわゆる大当り状態になり、大量の遊技球が上球受皿２１及び下球受皿５１に供給されるような場合に、上皿球抜きボタン２２及び下皿球抜きボタン５６の１タッチ操作により、両球受皿からの球抜きを労力を要することなく行うことができる。なお、停電等の非常時において、下球受皿５１の球抜き口５１ｃまで開放状態にすると、遊技球が外部に放出されることになるので、下球受皿５１については、上球受皿２１のような非常時における開口部の自動化開放は適用しないことが望ましい。
【００３６】
つぎに、第２の実施形態について図面により説明する。本実施形態においては、上皿球抜きボタン２２、下皿球抜きボタン５６を１タッチ操作したときは、上球受皿２１、下球受皿５１に遊技球が無くなるまで球抜きを行うようにし、また上皿球検出センサ２６、下皿球検出センサ５７により遊技球が検出されなくなると、直ちに開閉板２３，５４ａを駆動して開口部２４ａ、球排出口５１ｃを閉鎖せるようにしたものである。すなわち、制御回路８０により実行されるソレノイド制御及び球検出制御プログラムを、図１２、図１３に示すように、「ソレノイド制御プログラムＩＩ」及び「球検出制御プログラムＩＩ」のように変更したものである。その他の構成は、上記第１の実施形態に示したものと同様である。
【００３７】
第２の実施形態においては、図１２に示すように、上下球受皿２１、５１の球抜きボタン２２、５６が押されると、直ちに電磁ソレノイド２５、５５の通電が停止される（ステップ１１３、１１４）。また、遊技球が検出されないと、直ちに電磁ソレノイド２５、５５が通電され、開口部２４ａ、球排出口５１ｃが閉鎖される（ステップ１１６、１１２）。また、図１３に示すように、遊技球が検出されると、遊技球検出フラグＹＫＦが直ちに「１」にされ（ステップ１２２、１２３）、遊技球が検出されないと、遊技球検出フラグＹＫＦが直ちに「０」にされる（ステップ１２４、１２５）。これにより、第２の実施形態においては、第１の実施形態に比べて、制御構成が簡易にされ、制御コストを安価にできる。
【００３８】
つぎに、第３の実施形態について説明する。本実施形態においては、上記各実施形態のように、球抜き時にセンサ２６，５７により遊技球が検出されなくなった時点で、所定時間Ｔ0 の計時を開始させる代わりに、上皿球抜きボタン２２、下皿球抜きボタン５６の操作時、すなわち球抜き開始時から開放時間である時間Ｔk （＞Ｔ0 ）の計時を開始させ、時間Ｔk経過前には、遊技球の有無によらず開口部２４ａ、球排出口５１ｃを閉鎖させないようにした。このような構成によっても、上球受皿２１でわずかの球詰まりが生じたとき、一々開口部２４ａが閉鎖されることにより、再び球抜きボタン２２，５６の操作を行わなければならない煩雑さを避けることができる。また、時間Ｔk 経過後には、開口部２４ａ、球排出口５１ｃは閉鎖されるので、球抜き後の遊技の再開にも支障を与えない。
【００３９】
なお、上記各実施形態においては、電磁ソレノイド２５、５５の通電により開口部２４ａ、球排出口５１ｃを閉鎖させているが、逆にその非通電により閉鎖させるようにしてもよい。その場合には、停電等の非常時に、上球受皿からの自動球抜き操作を行うための電磁ソレノイドに対する強制開放機構を設ける必要がある。
【００４０】
また、上記各実施形態においては、電磁ソレノイド２５、５５により開閉板２３，５４ａを駆動して開口部２４ａ、球排出口５１ｃを開閉させているが、開閉の一方をリターンスプリング作動により行わせることもできる。
【００４１】
なお、上記各実施形態においては、上皿球抜きボタン２２及び下皿球抜きボタン５６を上球受皿２１及び下球受皿５１の右平坦領域に設けているが、これに限らず、両球抜きボタンを上下球受皿の他の位置に設けることもできる。また、両球抜きボタンを、上下球受皿に限らず他の位置に設けることもでき、例えば本体の前面側の任意の位置に設けることができる。また、球抜き開始手段として、上皿球抜きボタン２２、下皿球抜きボタン５６のような１タッチスイッチの代わりに、スライド式等の類似のスイッチを用いることもできる。
【００４２】
上記実施形態は特許請求の範囲に記載された発明に加えて次の発明を含んでいる。
１．遊技球検出手段による遊技球無しとの検出状態の期間を計時する計時手段と、前記計時手段による所定時間の計時終了前には開閉装置による開閉板の閉鎖位置への移動を禁止する閉鎖禁止制御手段を設けたことを特徴とするパチンコ遊技機。本発明によれば、球抜き中に球受皿に部分的に遊技球がかたまって一時的に球排出口の近傍にて遊技球が検出されなくなるような場合でも、所定時間が経過するまでは球排出口を閉鎖せず、かたまった遊技球がくずれて再び球排出口に到達するまでの猶予が与えられる。このため、短期間の球詰まりにより一々球排出口が閉鎖されないので、その度に再び球抜き開始手段の操作を行わなければならないという煩雑さを避けることができる。
２．球抜き開始手段による開放操作に応じて所定の開放時間の計時を開始する計時手段と、前記計時手段による前記開放時間の計時終了前には開閉装置による開閉板の閉鎖位置への移動を禁止する閉鎖禁止制御手段を設けたことを特徴とするパチンコ遊技機。本発明によれば、球抜きが開始されると、球受皿に遊技球が有る無しに関係なく所定の開放時間が経過するまでは球排出口が閉鎖されない。このため、短期間の球詰まりにより一々球排出口が閉鎖されないので、その度に再び球抜き開始手段の操作を行わなければならないという煩雑さを避けることができる。
３．球排出口の開放時に球抜き開始手段を操作することで開閉装置により開閉板を閉鎖位置へ移動させるようにしたことを特徴とするパチンコ遊技機。本発明によれば、球抜き開始手段の操作により球抜きを開始した後、途中で球抜きを停止したいときには、再び球抜き開始手段を操作することにより、簡単に球抜きを停止することができる。このため、自動的な球抜き状態をいつでも自由に中止せることができるので便利である。
【図面の簡単な説明】
【００４３】
【図１】本発明の第１の実施形態に係るパチンコ遊技機を概略的に示す斜視図である。
【図２】同パチンコ遊技機を示す背面図である。
【図３】同パチンコ遊技機の一部を概略的に示す斜視図である。
【図４】同パチンコ遊技機の上皿基板を詳細に示す平面図である。
【図５】同パチンコ遊技機の上球受皿の球抜き部分及び遊技球供給部分を背面側から詳細に示す一部断面図である。
【図６】上皿球抜きボタンの取付部分を示す断面図である。
【図７】同パチンコ遊技機の下皿基板を詳細に示す平面図である。
【図８】同パチンコ遊技機の球抜き制御装置を概略的に示すブロック図である。
【図９】図８の制御回路により実行される「ソレノイド制御プログラムＩ」のフローチャートである。
【図１０】図８の制御回路により実行される「球検出制御プログラムＩ」のフローチャートである。
【図１１】球抜き制御の状態を示すタイムチャートである。
【図１２】第２の実施形態である図８の制御回路により実行される「ソレノイド制御プログラムＩＩ」のフローチャートである。
【図１３】図８の制御回路により実行される「球検出制御プログラムＩＩ」のフローチャートである。
【符号の説明】
【００４４】
１０は本体、２０は上皿基板、２１は上球受皿、２１ａ1は平坦領域、２１ｃは整列路、２１ｄは賞品球供給口、２２は上皿球抜きボタン、２３は開閉板、２４は球抜き通路、２４ａは開口部、２５は電磁ソレノイド、２５ａはロッド、２６は上皿球検出センサ、３０は遊技盤、３３は賞品球排出口、４０は基盤、４１は遊技球排出筒、５０は下皿基板、５１は下球受皿、５１ａは底面部、５１ｃは球排出口、５３は遊技球流入筒、５３ａは遊技球流入口、５４は開閉部材、５４ａは開閉板、５４ｂは支持部、５４ｃは固定ピン、５５は電磁ソレノイド、５５ａはロッド、５６は下皿球抜きボタン、５７は下皿球検出センサ、６０は遊技球供給機構、７２はメイン基板、７３は賞品球タンク、７５ａ，７５ｂは賞品球通路、７５ｃは下賞品球通路、８０は制御回路、８１ａ，８１ｂは駆動回路、８２は電源スイッチを示している。
【図１】
2008006309.tif 000003
【図２】
2008006309.tif 000004
【図３】
2008006309.tif 000005
【図４】
2008006309.tif 000006
【図５】
2008006309.tif 000007
【図６】
2008006309.tif 000008
【図７】
2008006309.tif 000009
【図８】
2008006309.tif 000010
【図９】
2008006309.tif 000011
【図１０】
2008006309.tif 000012
【図１１】
2008006309.tif 000013
【図１２】
2008006309.tif 000014
【図１３】
2008006309.tif 000015